(57)【要約】  従来の信号生成回路は、外乱によりＶＣＯのＶ−Ｆ特性が急激に変化した場合、チャープ信号の誤差を補償できないという課題があった  本発明の信号生成回路は、電圧に対する出力周波数の特性を示す電圧周波数特性を用いて、チャープ信号に対する制御電圧を設定する制御電圧設定部と、制御電圧により出力信号の周波数を変化させる電圧制御発振器と、電圧制御発振器の出力信号を直交復調し、互いに直交する同相信号と直交信号を生成する直交復調部と、同相信号及び直交信号に基づいて、電圧制御発振器の出力信号の周波数を検出する周波数検出部と、を備え、制御電圧設定部は、制御電圧と電圧制御発振器の出力信号の周波数との関係から導出した電圧周波数特性を用いて、制御電圧を補正し、電圧制御発振器は、制御電圧設定部により補正された制御電圧に基づいて、チャープ信号を生成する。
2016051438.tif 000002
【特許請求の範囲】
【請求項１】
電圧に対する出力周波数の特性を示す電圧周波数特性を用いて、制御電圧を設定する制御電圧設定部と、
前記制御電圧により出力信号の周波数を変化させる電圧制御発振器と、
前記電圧制御発振器の出力信号を直交復調し、互いに直交する同相信号と直交信号を生成する直交復調部と、
前記同相信号及び前記直交信号に基づいて、前記電圧制御発振器の出力信号の周波数を検出する周波数検出部と、
を備え、
前記制御電圧設定部は、前記制御電圧と前記電圧制御発振器の出力信号の周波数との関係から導出した前記電圧周波数特性を用いて、前記制御電圧を補正し、
前記電圧制御発振器は、前記制御電圧設定部により補正された前記制御電圧に基づいて、チャープ信号を生成する信号生成回路。
【請求項２】
前記電圧制御発振器の出力信号を分周する分周器
を備え、
前記直交復調部は、前記分周器により分周された前記電圧制御発振器の出力信号を直交復調することを特徴とする請求項１に記載の信号生成回路。
【請求項３】
前記電圧制御発振器の出力信号を分周する分周器と、
前記分周器の出力信号の周波数を変化させる周波数変換回路と、
を備え、
前記直交復調部は、前記周波数変換回路により周波数変換された前記電圧制御発振器の出力信号を直交復調することを特徴とする請求項１に記載の信号生成回路。
【請求項４】
前記分周器は、分周された信号として、互いに直交する同相信号と直交信号とを出力することを特徴とする請求項２又は請求項３に記載の信号生成回路。
【請求項５】
前記同相信号及び前記直交信号から位相を検出する位相検出部
を備え、
前記周波数検出部は、前記位相検出部が検出した位相に基づいて、前記電圧制御発振器の出力信号の周波数を検出することを特徴とする請求項１から請求項４のいずれか１項に記載の信号生成回路。
【請求項６】
前記位相検出部は、前記直交信号を前記同相信号により除算し、逆正接を計算することより、位相を検出することを特徴とする請求項５記載の信号生成回路。
【請求項７】
前記周波数検出部は、前記位相検出部が検出した位相を時間微分して得られた周波数に基づいて、前記電圧制御発振器の出力信号の周波数を検出することを特徴とする請求項５又は請求項６に記載の信号生成回路。
【請求項８】
前記直交復調部、前記位相検出部、前記周波数検出部、及び前記制御電圧設定部はマイクロコントローラユニットで構成されたことを特徴とする請求項５から請求項７のいずれか１項に記載の信号生成回路。
【請求項９】
前記制御電圧設定部は、前記電圧制御発振器の前記電圧周波数特性を保存するルックアップテーブルを有し、前記ルックアップテーブルに基づいて、前記制御電圧を設定することを特徴とする請求項１から請求項８のいずれか１項に記載の信号生成回路。
【発明の詳細な説明】
【技術分野】
【０００１】
本発明は、チャープ信号を生成する信号生成回路に関する。
【背景技術】
【０００２】
被測定物との距離および相対速度を同時に高精度で計測できるＦＭＣＷ（Ｆｒｅｑｕｅｎｃｙ  Ｍｏｄｕｌａｔｅｄ  Ｃｏｎｔｉｎｕｏｕｓ  Ｗａｖｅｓ）方式のレーダが、車載レーダなどに広く用いられている。本方式は、チャープ信号を連続波として送信するとともに、被測定物からの反射波を受信し、反射波の時間遅れから被測定物までの距離を計測し、周波数変位から被測定物との相対速度を計測する方式である。ここで、チャープ信号とは、時間によって周波数が変化する、周波数変調された信号である。【０００３】
ＦＭＣＷレーダ装置における信号生成回路としては、例えば、特許文献１の信号生成回路が知られている。特許文献１の信号生成回路は、変調制御回路、デジタル―アナログ変換回路（ＤＡＣ：Ｄｉｇｉｔａｌ  ｔｏ  Ａｎａｌｏｇ  Ｃｏｎｖｅｒｔｅｒ）、低域通過フィルタ（ＬＰＦ：Ｌｏｗ  Ｐａｓs  Ｆｉｌｔｅｒ）、電圧制御発振器（ＶＣＯ：Ｖｏｌｔａｇｅ  Ｃｏｎｔｒｏｌｌｅｄ  Ｏｓｃｉｌｌａｔｏｒ）、ローカル信号生成回路、差周波信号生成回路、ＩＦ検出回路及びＡＤＣ（Ａｎａｌｏｇ  Ｔｏ  Ｄｉｇｉｔａｌ Ｃｏｎｖｅｒｔｅｒ）を備える。変調制御回路は、ＶＣＯの電圧周波数特性（Ｖ−Ｆ特性）を記録したルックアップテーブル（ＬＵＴ：Ｌｏｏｋ  Ｕｐ  Ｔａｂｌｅ）を備える。【０００４】
次に、チャープ信号生成するときの信号生成回路の動作について説明する。
変調制御回路は、ＬＵＴのＶ−Ｆ特性から、チャープ信号の時間―周波数特性が線形になるような制御電圧を求め、その制御電圧をデジタル信号としてＤＡＣに出力する。【０００５】
ＤＡＣは、変調制御回路から出力されたデジタルの制御電圧をアナログの制御電圧に変換し、ＬＰＦに出力する。【０００６】
ＬＰＦは、ＤＡＣから出力された制御電圧の高周波成分を除去し、制御電圧を平滑化する。そして、ＬＰＦは、ＶＣＯに制御電圧を出力する。【０００７】
ＶＣＯは、自身の持つＶ−Ｆ特性に基づき、ＬＰＦが出力した制御電圧にしたがって、制御電圧に対応する周波数の信号を出力する。【０００８】
この結果、この信号生成回路は、ＬＵＴが有するＶＣＯのＶ−Ｆ特性に基づいて、ＶＣＯの制御電圧を生成し、周波数変調されたチャープ信号を生成できる。【０００９】
次に、ＬＵＴを更新するときの信号生成回路の動作について説明する。
ＶＣＯは、制御電圧にしたがって、チャープ信号（ｆ１）を生成する。
ローカル信号生成回路は、ローカル信号（ｆ２）を生成する。
差周波信号生成回路は、ＶＣＯの出力信号（ｆ１）と、ローカル信号生成回路で生成されたローカル信号（ｆ２）とから、ＶＣＯの出力信号とローカル信号の差周波成分であるＩＦ（Ｉｎｔｅｒｍｅｄｉａｔｅ  Ｆｒｅｑｕｅｎｃｙ）信号（ｆ１−ｆ２）を出力する。【００１０】
ＩＦ検出回路は、ＩＦ信号の周波数がある特定のＩＦ検出周波数以下になったときに、ＩＦ検出信号をＡＤＣに出力する。ＩＦ信号の周波数がある特定のＩＦ検出周波数以下になったときとは、ｆ１≒ｆ２であるときである。時間によりｆ１は変化しているので、ｆ１≒ｆ２となるタイミングが存在する。【００１１】
ＡＤＣは、ＩＦ検出回路がＩＦ検出信号を出力したタイミングで、ＶＣＯの制御電圧（ｖ１）を計測し、変調制御回路に出力する。上記の動作は、ｆ２を変化させて複数回、行われる。こ【００１２】
変調制御回路は、ｆ２を変化させたときのｖ１の変化から、ＶＣＯのＶ−Ｆ特性を求めて、ＬＵＴに保存されたＶ−Ｆ特性を更新する。変調制御回路は、更新されたＶ−Ｆ特性に基づき、チャープ信号の時間―周波数特性が線形になる制御電圧を求め、その制御電圧をデジタル信号としてＤＡＣに出力する。【００１３】
以上のように、特許文献１の信号生成回路は、ローカル信号生成回路、差周波信号生成回路、ローカル信号生成回路、ＩＦ検出回路を用いて、ＬＵＴに保存されたＶ−Ｆ特性を更新し、更新したＶ−Ｆ特性に基づき、チャープ信号を生成する。【００１４】
しかし、特許文献１の回路は、温度などの外乱によりＶＣＯのＶ−Ｆ特性が急激に変化した場合、チャープ信号の誤差を補償できない。この回路は、ＶＣＯのＶ−Ｆ特性を求めるのに、複数回、ｆ２を変化させて、チャープ信号を生成する必要があり、その間はＶＣＯのＶ−Ｆ特性を更新できないからである。言い換えれば、特許文献１の回路は、１回のチャープ信号から、１つの電圧値（Ｖ）及びその電圧に対応する１つの周波数値（Ｆ）しか検出できないので、複数回チャープ信号を生成しなければ、ＶＣＯのＶ−Ｆ特性を求めることができないからである。
【先行技術文献】
【特許文献】
【００１５】
【特許文献１】特開２０１１−２４７５９８号公報
【発明の概要】
【発明が解決しようとする課題】
【００１６】
従来の信号生成回路は、外乱によりＶＣＯのＶ−Ｆ特性が急激に変化した場合、チャープ信号の誤差を補償できないという課題があった。
【課題を解決するための手段】
【００１７】
本発明の信号生成回路は、電圧に対する出力周波数の特性を示す電圧周波数特性を用いて、制御電圧を設定する制御電圧設定部と、制御電圧により出力信号の周波数を変化させる電圧制御発振器と、電圧制御発振器の出力信号を直交復調し、互いに直交する同相信号と直交信号を生成する直交復調部と、同相信号及び直交信号に基づいて、電圧制御発振器の出力信号の周波数を検出する周波数検出部と、を備え、制御電圧設定部は、制御電圧と電圧制御発振器の出力信号の周波数との関係から導出した電圧周波数特性を用いて、制御電圧を補正し、電圧制御発振器は、制御電圧設定部により補正された制御電圧に基づいて、チャープ信号を生成する。
【発明の効果】
【００１８】
本発明の信号生成回路は、ＶＣＯの出力信号に対して直交復調を行い、互いに直交する同相信号と直交信号を生成し、同相信号と直交信号に基づいてＶＣＯの出力信号の周波数を検出し、ＶＣＯのＶ−Ｆ特性を導出するように構成したので、本発明の信号生成回路は、外乱によりＶＣＯのＶ−Ｆ特性が急激に変化した場合でも、チャープ信号の誤差を補償できる。
【図面の簡単な説明】
【００１９】
【図１】実施の形態１に係る信号生成回路の一構成例を示す構成図である。
【図２】実施の形態１に係るＭＣＵ１８０の一構成例を示す構成図である。
【図３】実施の形態１に係る信号生成回路の動作を示すフローチャートである。
【図４】実施の形態１に係るＭＣＵ１８０の動作を示すフローチャートである。
【図５】実施の形態１に係る信号生成回路及び従来発明（特許文献１の発明）の信号生成回路におけるＶ−Ｆ特性の更新タイミングを示す図である。
【図６】実施の形態１に係る信号生成回路で生成したチャープ信号を示す図である。
【図７】実施の形態２に係る信号生成回路の一構成例を示す構成図である。
【図８】実施の形態２に係るＭＣＵ１８１の一構成例を示す構成図である。
【図９】実施の形態３に係る信号生成回路の一構成例を示す構成図である。
【図１０】実施の形態３に係るＭＣＵ１８２の一構成例を示す構成図である。
【発明を実施するための形態】
【００２０】
実施の形態１
図１は、実施の形態１に係る信号生成回路の一構成例を示す構成図である。
本信号生成回路は、ＶＣＯ（Ｖｏｌｔａｇｅ  Ｃｏｎｔｒｏｌｌｅｄ  Ｏｓｃｉｌｌａｔｏｒ）１００、ＤＡＣ（Ｄｉｇｉｔａｌ  ｔｏ  Ａｎａｌｏｇ  Ｃｏｎｖｅｒｔｅｒ）１０５、ＬＰＦ（Ｌｏｗ  Ｐａｓs  Ｆｉｌｔｅｒ）１１０、分周器１１５、乗算器１４０、局部発振器１５０、ＬＰＦ１６０、ＡＤＣ（Ａｎａｌｏｇ  Ｔｏ  Ｄｉｇｉｔａｌ Ｃｏｎｖｅｒｔｅｒ）１７０、ＭＣＵ（Ｍｉｃｒｏ  Ｃｏｎｔｒｏｌｌｅｒ  Ｕｎｉｔ）１８０を備える。図１において、ｖはＶＣＯ１００の制御電圧であり、ｆｖｃｏはＶＣＯ１００の出力信号の周波数（出力周波数）であり、ｆｘｏは局部発振器１５０の出力周波数である。ＩＮ＿ＭＣＵはＭＣＵへの入力信号を示し、ＯＵＴ＿ＭＣＵはＭＣＵからの出力信号を示す。
【００２１】
ＶＣＯ１００は、ＬＰＦ１１０から出力された制御信号に対応した周波数の信号を出力する電圧制御発振器である。例えば、ＶＣＯ１００は、バラクタダイオードによる同調回路とトランジスタによる能動回路から構成される発振回路が用いられる。
【００２２】
ＤＡＣ１０５は、制御電圧設定部１３０から出力されたデジタル制御信号をアナログ制御信号に変換して出力する回路である。例えば、ＤＡＣ１０５は、ΔΣ変調器とコンパレータから構成されるΔΣ型ＤＡＣが用いられる。
【００２３】
ＬＰＦ１１０は、ＤＡＣ１０５から出力されたアナログ制御信号の高周波成分を除去することにより、アナログ制御信号を平滑化し、平滑化したアナログ制御信号をＶＣＯ１００に出力するローパスフィルタである。例えば、ＬＰＦ１１０は、コイルとコンデンサから構成されるフィルタ回路が用いられる。
【００２４】
分周器１１５は、ＶＣＯ１００の出力信号を分周比Ｎ（Ｎは自然数）で分周し、分周した信号を出力する分周器である。例えば、分周器１１５は、フリップフロップから構成されるカウンタ回路が用いられる。
【００２５】
乗算器１４０は、分周器１１５から出力された信号と、後述する局部発振器１５０から出力された信号とを乗算し、乗算した信号を出力する乗算器である。例えば、乗算器１４０は、ダイオードとトランスから構成される周波数ミキサが用いられる。
【００２６】
局部発振器１５０は、乗算器１４０に、周波数変換を行うときの基準となる信号を出力する信号源である。局部発振器１５０は、正確な発振周波数を有する水晶発振器などから構成される。局部発振器１５０にはＤＤＳ（Ｄｉｒｅｃｔ  Ｄｉｇｉｔａｌ  Ｓｙｎｔｈｅｓｉｚｅｒ：デジタル直接合成発振器）を用いても良い。
【００２７】
ＬＰＦ１６０は、乗算器１４０から出力された信号の高周波成分を除去し、高周波成分を除去した信号を出力するフィルタである。例えば、ＬＰＦ１６０は、コイルとコンデンサから構成されるフィルタ回路が用いられる。
【００２８】
ＡＤＣ１７０は、ＬＰＦ１６０から出力されたアナログ信号をデジタル信号に変換し、変換したデジタル信号をＭＣＵ１８０に出力する回路である。
【００２９】
図２は、実施の形態１に係る信号生成回路のＭＣＵ１８０の一構成例を示す構成図である。ＭＣＵ１８０は、コンピュータシステムを組み込んだ集積回路（マイクロコントローラユニット）である。マイクロコントローラユニットはＣＰＵ（Ｃｅｎｔｒａｌ Ｐｒｏｃｅｓｓｉｎｇ Ｕｎｉｔ）、メモリ、入出力回路、タイマー回路などを格納している。ＭＣＵ１８０は、制御電圧設定部１３０、直交復調部２００、ＬＰＦ２１０、ＬＰＦ２１１、位相検出部２１２、周波数検出部２１４を備える。これら各部は、ＭＣＵ１８０上で動作するソフトウェアにより構成されても良いし、アナログ回路又はデジタル回路で構成されても良い。
【００３０】
直交復調部２００は、ＡＤＣ１７０から出力されたデジタル信号に対して直交復調を行い、互いに直交する同相信号と直交信号を生成する回路である。直交復調部２００は、乗算器２０２、乗算器２０４、９０°移相分配器２０８、局部発振器２０６を備える。
【００３１】
局部発振器２０６は、一定の周波数の信号を出力する発振器である。
【００３２】
９０°移相分配器２０８は、局部発振器２０６の出力信号を９０°位相の異なるｃｏｓ波とｓｉｎ波の２つの信号に分配する移相分配器である。
【００３３】
乗算器２０２は、ＡＤＣ１７０の出力信号にｃｏｓ波を乗算し、乗算した信号を同相信号として出力する乗算器である。
【００３４】
乗算器２０４は、ＡＤＣ１７０の出力信号にｓｉｎ波を乗算し、乗算した信号を直交信号して出力する乗算器である。
【００３５】
ＬＰＦ２１０は、乗算器２０２の出力信号の高周波成分を除去し、高周波成分を除去した信号を出力するローパスフィルタである。
【００３６】
ＬＰＦ２１１は、乗算器２０４の出力信号の高周波成分を除去し、高周波成分を除去した信号を出力するローパスフィルタである。
【００３７】
位相検出部２１２は、互いに直交するＬＰＦ２１０の出力信号とＬＰＦ２１１の出力信号から瞬時位相を検出する回路である。瞬時位相とは、信号の位相が時間に対して変化する場合（位相が時間の関数である場合）に、各時間に対する信号の位相をいう。
【００３８】
周波数検出部２１４は、位相検出部２１２から出力された瞬時位相に対して時間微分を行い、瞬時周波数を検出する回路である。瞬時周波数とは、周波数が時間と共に変化する信号において、信号の位相の時間変化率と定義され、各時間に対する周波数をいう。
【００３９】
制御電圧設定部１３０は、ＶＣＯ１００のＶ−Ｆ特性を記憶したＬＵＴ（Ｌｏｏｋ  Ｕｐ  Ｔａｂｌｅ）１２０を備え、ＬＵＴ１２０に記憶されたＶ−Ｆ特性に基づき、ＶＣＯ１００の制御信号を生成する回路である。例えば、制御電圧設定部１３０は、ＭＣＵ１８０のメモリ及びＭＣＵ１８０の入出力回路で構成される。なお、ここでは、制御電圧設定部１３０は、内部にＬＵＴ１２０を備える構成である。しかし、制御電圧設定部１３０は、ＬＵＴ１２０を参照して、ＶＣＯ１００の制御信号を設定する構成であれば、どのような構成でも良い。例えば、制御電圧設定部１３０の外部にＬＵＴ１２０があり、制御電圧設定部１３０は、外部のＬＵＴ１２０を参照して、制御電圧を生成する構成でも良い。
【００４０】
次に、チャープ信号を生成するときの信号生成回路の動作について説明する。図３は、実施の形態１に係る信号生成回路の動作を示すフローチャートである。図３を参照しながら、信号生成回路の動作をセ詰めする。
【００４１】
ＭＣＵ１８０の制御電圧設定部１３０は、ＬＵＴ１２０に記憶されたＶＣＯ１００のＶ−Ｆ特性に基づき、各時間に対するＶＣＯ１００の制御電圧を生成し、ＤＡＣ１０５に出力する（Ｓ１０１）。
【００４２】
ＤＡＣ１０５は、制御電圧設定部１３０出力された制御電圧をデジタル信号からアナログ信号に変換し、ＬＰＦ１１０に出力する（Ｓ１０２）。
【００４３】
ＬＰＦ１１０は、ＤＡＣ１０５から出力信号の高周波成分を除去することにより、信号を平滑化し、平滑化した信号をＶＣＯ１００に出力する（Ｓ１０３）。
【００４４】
ＶＣＯ１００は、Ｖ−Ｆ特性に基づき、ＬＰＦ１１０から出力された制御信号に応じた周波数の信号（ｃｏｓ（２πｆｖｃｏ）ｔ）を出力する（Ｓ１０４）。ここで、ｆｖｃｏは、ＶＣＯ１００の出力信号の周波数である。
【００４５】
分周器１１５は、ＶＣＯ１００から出力された信号の一部を分周比Ｎ（Ｎは自然数）で分周し、分周した信号（ｃｏｓ（２πｆｖｃｏ／Ｎ）ｔ））を乗算器１４０に出力する（Ｓ１０５）。ここで、ｆｖｃｏ／Ｎは、分周器１１５の出力信号の周波数である。
【００４６】
乗算器１４０は、局部発振器１５０が出力した信号（ｃｏｓ（（２πｆｘｏ）ｔ））と、分周器１１５の出力信号（ｃｏｓ（２πｆｖｃｏ／Ｎ）ｔ））とを乗算し、乗算により周波数変換された信号を出力する（Ｓ１０６）。ここで、ｆｘｏは、局部発振器１５０の出力信号の周波数である。
【００４７】
このように、分周器１１５が分周した信号と、局部発振器１５０が出力信号とを用いて、乗算器１４０は、ＶＣＯ１００の出力信号を、後述するＡＤＣ１７０が取り込める周波数まで周波数変換している。
【００４８】
ところで、周波数変換を行うときに、分周した信号を用いないで、ＶＣＯ１００の出力信号を乗算器１４０により、そのまま周波数変換することも可能である。その場合は、局部発振器１５０として、ＰＬＬ（Ｐｈａｓｅ  Ｌｏｃｋｅｄ  Ｌｏｏｐ）回路が必要になる。したがって、回路規模が大きくなるので、構成としては、分周器１１５と乗算器１４０を用いる構成が望ましい。
【００４９】
乗算器１４０の出力信号（Ｓ）は、式（１）で表される。
【数１】
2016051438.tif 000003
【００５０】
ＬＰＦ１６０は、乗算器１４０の出力信号の高周波成分を除去し、式（１）の第１項である差周波信号を出力する（Ｓ１０７）。差周波信号（Ｓｄｉｆｆ）は、式（２）で表される。
【数２】
2016051438.tif 000004
ここでは、式を簡単にするために、係数の０．５は省略されている。
【００５１】
ＡＤＣ１７０は、ＬＰＦ１６０の出力信号をアナログ信号からデジタル信号に変換し（Ｓ１０８）、ＭＣＵ１８０の直交復調部２００に出力する（Ｓ１０９）。
【００５２】
図４は、ＭＣＵ１８０の動作を示すフローチャートである。図４を参照しながら、ＭＣＵ１８０の動作を説明する。
【００５３】
局部発振器２０６は、周波数がｆＬＯであるローカル信号を９０°移相分配器２０８に出力し、９０°移相分配器２０８は、ローカル信号を、９０°位相差をもつ２つの信号に分配し、ｃｏｓ波（ｃｏｓ（２πｆＬＯｔ））及びｓｉｎ波（ｓｉｎ（２πｆＬＯｔ））を生成する（Ｓ２０１）。
【００５４】
乗算器２０２は、ｃｏｓ波（ｃｏｓ（２πｆＬＯｔ））と、ＡＤＣ１７０の出力信号（Ｓｄｉｆｆ）とを乗算し、乗算した信号を同相信号としてＬＰＦ２１０に出力する（Ｓ２０２）。乗算器２０２から出力される信号は、式（３）で表される。
【数３】
2016051438.tif 000005
【００５５】
乗算器２０４は、ｓｉｎ波（ｓｉｎ（２πｆＬＯｔ））と、ＡＤＣ１７０の出力信号（Ｓｄｉｆｆ）とを乗算し、乗算した信号を直交信号としてＬＰＦ２１１に出力する。乗算器２０４から出力される信号は、式（４）で表される。
【数４】
2016051438.tif 000006
【００５６】
ＬＰＦ２１０は、Ｓｉの高周波成分を除去し、高周波を除去したＳｉを位相検出部２１２に出力する（Ｓ２０３）。ＬＰＦ２１１は、Ｓｑの高周波成分を除去し、高周波を除去したＳｑを位相検出部２１２に出力する。高周波成分が除去されたＳｉ及びＳｑは、それぞれ、式（５）、式（６）で表される。
【数５】
2016051438.tif 000007
【数６】
2016051438.tif 000008
Ｓｉは同相信号（Ｉ信号）であり、Ｓｑは直交信号（Ｑ信号）である。
【００５７】
位相検出部２１２は、ＬＰＦ２１０から出力された同相信号と、ＬＰＦ２１１から出力された直交信号とを除算し、除算した値に−１を乗算し、その逆正接を計算する。これにより、位相検出部２１２は、瞬時位相を検出する（Ｓ２０４）。
【００５８】
瞬時位相（θ（ｔ））は、式（７）で表される。
【数７】
2016051438.tif 000009
【００５９】
周波数検出部２１４は、瞬時位相の時間微分を計算し、瞬時周波数を検出する（Ｓ２０５）。瞬時周波数（ｆｂｂ）は、式（８）で表される。
【数８】
2016051438.tif 000010
ここで、Ｎは分周比、ｆｘｏは局部発振器１５０の出力信号の周波数、ｆＬＯは局部発振器２０６の出力信号の周波数である。ｆｂｂ、Ｎ、ｆｘｏ、ｆＬＯは既知であるので、周波数検出部２１４は、ＶＣＯ１００の出力周波数（ｆｖｃｏ）を検出できる（Ｓ２０６）。ＶＣＯ１００の出力信号の周波数は、式（９）で表される。
【数９】
2016051438.tif 000011
【００６０】
周波数検出部２１４は、時間ごとに瞬時周波数（ｆｂｂ）を検出できるので、式（９）から各時間におけるＶＣＯ１００の出力周波数（ｆｖｃｏ）を検出できる。よって、１回のチャープ信号から、ＶＣＯ１００の出力周波数（ｆｖｃｏ）の時間変化を検出できる。つまり、ＶＣＯ１００の時間−周波数特性を検出できる。これは、１回のチャープ信号から、ＶＣＯ１００のＶ−Ｆ特性を求めることができることを意味する。
【００６１】
制御電圧設定部１３０は、ＤＡＣ１０５に出力した制御電圧の時間変化と、周波数検出部２１４が検出した時間−周波数特性とから、ＶＣＯ１００のＶ−Ｆ特性を求める（Ｓ２０７）。  次に、制御電圧設定部１３０は、ＬＵＴ１２０に保存されたＶ−Ｆ特性の値を、ステップＳ２０７で求めたＶ−Ｆ特性の値に更新する（Ｓ２０８）。
【００６２】
次に、制御電圧設定部１３０は、更新したＶ−Ｆ特性に基づき、ＶＣＯ１００の制御電圧を補正し、ＤＡＣ１０５に出力する（Ｓ２０９）。ここで、制御電圧設定部１３０は、ＶＣＯ１００がチャープ信号を出力している間に、次のチャープ信号の制御電圧を決定することもできる。周波数検出部２１４が、瞬時位相から瞬時周波数を検出できるので、制御電圧設定部１３０は、時間ごとに順次ＬＵＴ１２０を更新していくことができるからである。
【００６３】
ＤＡＣ１０５は、ＭＣＵ１８０の制御電圧設定部１３０から出力されたデジタルの制御電圧をアナログの制御電圧に変換し、ＬＰＦ１１０に出力する。ＬＰＦ１１０は、ＤＡＣ１０５から出力された制御電圧の高周波成分を除去し、制御電圧を平滑化する。そして、ＬＰＦ１１０は、平滑化された制御電圧をＶＣＯ１００に出力する。
【００６４】
ＶＣＯ１００は、ＬＰＦ１１０から出力された制御電圧にしたがい、チャープ信号を生成する。ここで、制御電圧は、更新されたＶ−Ｆ特性に基づいて補正されているので、ＶＣＯ１００は、線形性の高いチャープ信号を生成できる。
【００６５】
図５は、実施の形態１に係る信号生成回路及び従来発明（特許文献１の発明）の信号生成回路におけるＶ−Ｆ特性の更新タイミングを示す図である。図５を用いて、実施の形態１に係る信号生成回路の効果を説明する。図５において、縦軸は、信号生成回路の温度を示し、横軸は、時間を示す。図５中、黒い三角のシンボルは、従来発明の信号生成回路がＶ−Ｆ特性を更新するタイミングを示し、黒丸のシンボルは、実施の形態１に係る信号生成回路がＶ−Ｆ特性を更新するタイミングを示す。また、図５に示すように、１０Δｔから２０Δｔの間で信号生成回路に急激な変化が生じているため、この期間でＶＣＯ１００のＶ−Ｆ特性も大きく変化する。なお、以下では、実施の形態１に係る信号生成回路及び従来発明の信号生成回路はいずれも、Δｔ毎にチャープ信号を生成するものとして説明を行う。
【００６６】
ここで、従来発明の信号生成回路は、段落[００１４]で既に説明したように、Ｖ−Ｆ特性を求めるために、複数回チャープ信号を生成する必要がある。ここでは、１０回のチャープ信号からＶ−Ｆ特性を算出するものとする。そうすると、Δｔ毎にチャープ信号は生成されることから、Ｖ−Ｆ特性は１０Δｔ毎に更新される。
【００６７】
このように、従来発明の信号生成回路は、Ｖ−Ｆ特性を求めるために１０回チャープ信号を生成する必要があるので、図５において温度が急激に変化しているΔ１０ｔからΔ２０ｔの間は、Ｖ−Ｆ特性を更新できず、チャープ信号の誤差を補償できない。
【００６８】
一方で、実施の形態１に係る信号生成回路は、段落[００６０]で既に説明したように、１回のチャープ信号からＶ−Ｆ特性を算出できる。そのため、図５に示すように、Δｔ毎にＶ−Ｆ特性を更新することが可能となるので、温度が変化している間（図５中、Δ１０ｔからΔ２０ｔの間）でも、チャープ信号の誤差を補償できる。
【００６９】
図６は、実施の形態１に係る信号生成回路で生成したチャープ信号を示す図である。縦軸が周波数であり、横軸が時間である。実線が、実施の形態１に係る信号生成回路で生成したチャープ信号を示し、破線が、従来発明の信号生成回路で生成したチャープ信号を示す。実線の方が、破線に比べて、チャープ信号の線形性が高いことが分かる。
【００７０】
なお、ここでは、外乱として温度が変化する場合を示したが、他の機器から放射される電磁波やＶＣＯ１００の経年劣化などにより、ＶＣＯ１００のＶ−Ｆ特性に変化が生じた場合でも、本発明はチャープ信号の誤差を補償できる。
【００７１】
以上のように、実施の形態１によれば、ＶＣＯ１００の出力信号に対して直交復調を行い、互いに直交する同相信号と直交信号を生成し、同相信号と直交信号に基づいてＶＣＯ１００の出力信号の周波数を検出し、ＶＣＯ１００のＶ−Ｆ特性を導出するように構成したので、本発明の信号生成回路は、外乱によりＶＣＯ１００のＶ−Ｆ特性が急激に変化した場合でも、チャープ信号を出力するごとにＶＣＯ１００のＶ−Ｆ特性を導出でき、チャープ信号の誤差を補償できる。
【００７２】
また、実施の形態１によれば、ＶＣＯ１００の出力信号を用いて、ＬＵＴ１２０に記憶されたＶ−Ｆ特性を更新する構成であるため、チャープ信号の出力を停止させずに、チャープ信号の誤差を補償することができる。
【００７３】
さらに、実施の形態１によれば、ＭＣＵ１８０を用いて、直交復調部２００、ＬＰＦ２１０、ＬＰＦ２１１、位相検出部２１２、周波数検出部２１４及び制御電圧設定部１３０を、ＭＣＵ１８０上にソフトウェアとして一体的に構成したので、信号生成回路の回路規模を小さくすることができる。
【００７４】
なお、ここでは、制御電圧設定部１３０、直交復調部２００、ＬＰＦ２１０、ＬＰＦ２１１、位相検出部２１２、周波数検出部２１４及び制御電圧設定部１３０が、ＭＣＵ１８０上に一体的に構成される例を示したが、それぞれが個別のデジタル回路やアナログ回路を用いて構成されても良い。
【００７５】
また、制御電圧設定部１３０、直交復調部２００、ＬＰＦ２１０、ＬＰＦ２１１、位相検出部２１２、周波数検出部２１４及び制御電圧設定部１３０は、ＦＰＧＡ（Ｆｉｅｌｄ Ｐｒｏｇｒａｍｍａｂｌｅ Ｇａｔｅ Ａｒｒａｙ）で構成されても良い。
【００７６】
実施の形態１に係る信号生成回路は、乗算器１４０及び局部発振器１５０を用いて、分周器１１５の出力信号を周波数変換し、ＡＤＣ１７０に出力する構成であるが、分周器１１５でＡＤＣ１７０が取り込み可能な周波数まで周波数を変換できる場合は、乗算器１４０及び局部発振器１５０を省略した構成でも良い。
【００７７】
制御電圧設定部１３０は、ＬＵＴ１２０を用いて、制御電圧を設定するように構成されているが、ＬＵＴ１２０を用いず、制御電圧を設定する構成でも良い。Ｖ−Ｆ特性をテーブルとして保存せずに、制御電圧を設定するときに、演算処理によりＶ−Ｆ特性を求めて、制御電圧を設定する構成でも良い。
【００７８】
実施の形態２
実施の形態１では、直交復調部２００から出力される信号に対して、ＬＰＦ２１０、ＬＰＦ２１１を用いて、高周波成分（不要波成分）を除去し、差周波成分（所望波成分）を抽出する構成を示した。実施の形態２では、ＬＰＦ２１０、ＬＰＦ２１１を用いず、所望波成分を抽出する構成を示す。
【００７９】
図７は、実施の形態２に係る信号生成回路の一構成例を示す構成図である。
なお、図７中、図１と同一符号は同一又は相当部分を示し、説明を省略する。図７中、Ｉは分周器１１６から出力される同相信号を示し、Ｑは分周器１１６から出力される直交信号を示す。ＩＮ＿ＭＣＵ＿Ｉは、ＭＣＵ１８１に入力される同相信号を示し、ＩＮ＿ＭＣＵ＿ＱはＭＣＵ１８１に入力される直交信号を示し、ＯＵＴ＿ＭＣＵは、ＭＣＵ１８１から出力される信号を示す。
【００８０】
実施の形態１の構成と比べて、実施の形態２の信号生成回路は、分周器１１５の代わりに同相信号および直交信号を出力する分周器１１６を備え、乗算器１４０の代わりに乗算器１４０ａ及び乗算器１４０ｂを備え、ＬＰＦ１６０の代わりにＬＰＦ１６０ａ及びＬＰＦ１６０ｂを備え、ＡＤＣ１７０の代わりにＡＤＣ１７０ａ及びＡＤＣ１７０ｂを備え、ＭＣＵ１８０の代わりにＭＣＵ１８１を備えた点が異なる。
【００８１】
乗算器１４０ａ及び乗算器１４０ｂは乗算器１４０と同一である。ＬＰＦ１６０ａ及びＬＰＦ１６０ｂは、ＬＰＦ１６０と同一である。ＡＤＣ１７０ａ及びＡＤＣ１７０ｂは、ＡＤＣ１７０と同一である。
【００８２】
分周器１１６は、ＶＣＯ１００の出力信号を分周し、分周した信号を、同相信号および直交信号として出力する分周器である。つまり、分周器１１６は、直交復調機能を有する発振器である。
【００８３】
図８は、実施の形態２に係る信号生成回路のＭＣＵ１８１の一構成例を示す構成図である。
実施の形態１の構成と比べて、実施の形態２のＭＣＵ１８１は、直交復調部２００の代わりに第１の直交復調部２００ａ及び第２の直交復調部２００ｂを備え、加算器２１３及び減算器２１６を追加し、ＬＰＦ２１０、ＬＰＦ２１１を省略している点が異なる。
【００８４】
第１の直交復調部２００ａ及び第２の直交復調部２００ｂは、直交復調部２００と同一である。
【００８５】
加算器２１３は、２つの信号を加算する回路である。加算器２１３の機能は、ＭＣＵ１８０のソフトウェア処理により実現される。なお、加算器２１３は、アナログ回路又はデジタル回路で構成されても良い。
【００８６】
減算器２１６は、２つの信号を減算する回路である。加算器２１６の機能は、ＭＣＵ１８０のソフトウェア処理により実現される。なお、加算器２１６は、アナログ回路又はデジタル回路で構成されても良い。
【００８７】
次に、実施の形態２に係る信号生成回路の動作について説明する。
ＤＡＣ１０５、ＬＰＦ１１０、ＶＣＯ１００及び局部発振器１５０の動作は、実施の形態１と同じであるため、説明を省略する。
【００８８】
分周器１１６は、ＶＣＯ１００の出力信号を分周し、分周した信号を、互いに直交する同相信号及び直交信号として出力する。
【００８９】
乗算器１４０ａは、分周器１１６が分周した信号と、局部発振器１５０の出力信号とを乗算し、乗算により周波数変換した信号を出力する。乗算器１４０ｂは、分周器１１６が分周した信号と、局部発振器１５０の出力信号とを乗算し、乗算により周波数変換した信号を出力する。
【００９０】
ＬＰＦ１６０ａは、乗算器１４０ａの出力信号の高周波成分を除去する。ＬＰＦ１６０ｂは、乗算器１４０ｂの出力信号の高周波成分を除去する。
【００９１】
ＡＤＣ１７０ａは、ＬＰＦ１６０ａの出力信号をアナログ信号からデジタル信号に変換し、ＭＣＵ１８１の第一の直交復調部２００ｂに出力する。ＡＤＣ１７０ｂは、ＬＰＦ１６０ｂの出力信号をアナログ信号からデジタル信号に変換し、ＭＣＵ１８１の第二の直交復調部２００ｂに出力する。
【００９２】
ＡＤＣ１７０ａから出力される信号（ＩＮ＿ＭＣＵ＿Ｉ）は、（１０）式で表される。
【数１０】
2016051438.tif 000012
ＡＤＣ１７０ｂから出力される信号（ＩＮ＿ＭＣＵ＿Ｑ）は、（１１）式で表される。
【数１１】
2016051438.tif 000013
【００９３】
局部発振器２０６ａは、周波数がｆＬＯであるローカル信号を９０°移相分配器２０８ａに出力する。９０°移相分配器２０８ａは、ローカル信号を、９０°位相差をもつ２つの信号に分配し、ｃｏｓ波（ｃｏｓ（２πｆＬＯｔ））及びｓｉｎ波（ｓｉｎ（２πｆＬＯｔ））を生成する。
【００９４】
乗算器２０２ａは、ｃｏｓ波（ｃｏｓ（２πｆＬＯｔ））と、ＡＤＣ１７０ａの出力信号（Ｓｉ）とを乗算し、乗算した信号（Ｓｉｉ）を加算器２１３に出力する。Ｓｉｉは、式（１２）で表される。
【数１２】
2016051438.tif 000014
【００９５】
乗算器２０４ａは、ｓｉｎ波（ｓｉｎ（２πｆＬＯｔ））と、ＡＤＣ１７０ａの出力信号（Ｓｉ）とを乗算し、乗算した信号（Ｓｉｑ）を減算器２１４に出力する。Ｓｉｑは、式（１３）で表される。
【数１３】
2016051438.tif 000015
【００９６】
局部発振器２０６ｂは、周波数がｆＬＯであるローカル信号を９０°移相分配器２０８ｂに出力する。９０°移相分配器２０８ｂは、ローカル信号を、９０°位相差をもつ２つの信号に分配し、ｃｏｓ波（ｃｏｓ（２πｆＬＯｔ））及びｓｉｎ波（ｓｉｎ（２πｆＬＯｔ））を生成する。
【００９７】
乗算器２０２ｂは、ｃｏｓ波（ｃｏｓ（２πｆＬＯｔ））と、ＡＤＣ１７０ｂの出力信号（Ｓｑ）とを乗算し、乗算した信号（Ｓｑｉ）を加算器２１３に出力する。Ｓｑｉは、式（１４）で表される。
【数１４】
2016051438.tif 000016
【００９８】
乗算器２０４ａは、ｓｉｎ波（ｓｉｎ（２πｆＬＯｔ））と、ＡＤＣ１７０ｂの出力信号（Ｓｑ）とを乗算し、乗算した信号（Ｓｑｑ）を減算器２１６に出力する。Ｓｑｑは、式（１５）で表される。
【数１５】
2016051438.tif 000017
【００９９】
加算器２１３は、ＳｉｉとＳｑｑを加算し、加算した信号を位相検出部２１４に出力する。加算した信号は、式（１６）で表される。ＳｉｉとＳｑｑを加算することにより、不要な高周波成分はキャンセルされるため、高周波成分を除去するためのローパスフィルタは不要になる。
【数１６】
2016051438.tif 000018
【０１００】
減算器２１６は、ＳｑｉからＳｉｑを減算し、減算した信号を位相検出部２１４に出力する。減算した信号は、式（１７）で表される。ＳｑｉからＳｉｑを減算することにより、不要な高周波成分はキャンセルされるため、高周波成分を除去するためのローパスフィルタは不要になる。
【数１７】
2016051438.tif 000019
ここで、式（１６）が実施の形態１で説明した同相信号（式（５））に相当し、式（１７）が実施の形態１で説明した直交信号（式（６））に相当する。
【０１０１】
この後の動作、つまり、位相検出部２１２、周波数検出部２１４及び制御電圧設定部１３０の動作は、実施の形態１と同じであるため、説明を省略する。
【０１０２】
以上のように構成した実施の形態２の信号生成回路では、ＬＰＦ２１０及びＬＰＦ２１１を用いることなく、実施の形態１と同様の効果を奏する。これにより、ＭＣＵ１８１が行うＬＰＦ２１０及びＬＰＦ２１１の演算処理を削減でき、ＭＣＵ１８１の演算処理の負荷を軽減できる効果がある。特に、ＬＰＦ２１０及びＬＰＦ２１１のフィルタ次数を高くする必要がある場合、信号に対する演算処理が大きくなるので、負荷軽減効果は大きくなる。
【０１０３】
実施の形態３
実施の形態１では、ＭＣＵ１８０内に直交復調部２００を設けた構成について示した。実施の形態３では、ＭＣＵ１８０内の直交復調部２００を削除し、ＭＣＵ１８０の外に直交復調部２００をアナログ回路として設けた構成を示す。
【０１０４】
図９は、実施の形態３に係る信号生成回路の一構成例を示す構成図である。
なお、図９中、図１と同一符号は同一又は相当部分を示し、説明を省略する。図９中、ＩＮ＿ＭＣＵ＿Ｉは、ＭＣＵ１８２に入力される同相信号を示し、ＩＮ＿ＭＣＵ＿ＱはＭＣＵ１８２に入力される直交信号を示し、ＯＵＴ＿ＭＣＵは、ＭＣＵ１８１から出力される信号を示す。
【０１０５】
実施の形態１の構成と比べて、実施の形態３の信号生成回路は、乗算器１４０及び局部発振器１５０の代わりに直交復調部２００を備え、ＬＰＦ１６０の代わりにＬＰＦ１６０ａ及びＬＰＦ１６０ｂを備え、ＡＤＣ１７０の代わりにＡＤＣ１７０ａ及びＡＤＣ１７０ｂを備え、ＭＣＵ１８０の代わりにＭＣＵ１８２を備えた点が異なる。
【０１０６】
図１０は、実施の形態３に係る信号生成回路のＭＣＵ１８２の一構成例を示す構成図である。
実施の形態１の構成と比べて、実施の形態２のＭＣＵ１８２は、直交復調部２００を備えない点が異なる。
【０１０７】
次に、実施の形態３に係る信号生成回路の動作について説明する。
ＤＡＣ１０５、ＬＰＦ１１０、ＶＣＯ１００、分周器１１５の動作は、実施の形態１と同じであるため、説明を省略する。
【０１０８】
局部発振器２０６は、周波数がｆＬＯであるローカル信号を９０°移相分配器２０８に出力する。９０°移相分配器２０８は、ローカル信号を、９０°位相差をもつ２つの信号に分配し、ｃｏｓ波（ｃｏｓ（２πｆＬＯｔ））及びｓｉｎ波（ｓｉｎ（２πｆＬＯｔ））を生成する。
【０１０９】
乗算器２０２は、ｃｏｓ波と、分周器１１５の出力信号とを乗算し、乗算した信号を同相信号としてＬＰＦ１６０ａに出力する。乗算器２０２から出力される信号は、式（１８）で表される。
【数１８】
2016051438.tif 000020
【０１１０】
乗算器２０４は、ｓｉｎ波と、分周器１１５の出力信号とを乗算し、乗算した信号を同相信号としてＬＰＦ１６０ｂに出力する。乗算器２０４から出力される信号は、式（１９）で表される。
【数１９】
2016051438.tif 000021
【０１１１】
ＬＰＦ１６０ａは、乗算器１４０ａの出力信号の高周波成分を除去する。高周波成分を除去した信号は式（２０）で表される。
【数２０】
2016051438.tif 000022
【０１１２】
ＬＰＦ１６０ｂは、乗算器１４０ｂの出力信号の高周波成分を除去する。高周波成分を除去した信号は式（２１）で表される。
【数２１】
2016051438.tif 000023
【０１１３】
ＡＤＣ１７０ａは、ＬＰＦ１６０ａの出力信号（式（２０））をアナログ信号からデジタル信号に変換し、ＭＣＵ１８２の位相検出部２１２に出力する。ＡＤＣ１７０ｂは、ＬＰＦ１６０ｂの出力信号（式（２１））をアナログ信号からデジタル信号に変換し、ＭＣＵ１８２の位相検出部２１２に出力する。
【０１１４】
この後の動作、つまり、位相検出部２１２、周波数検出部２１４及び制御電圧設定部１３０の動作は、実施の形態１と同じであるため、説明を省略する。
【０１１５】
以上のように構成した実施の形態３の信号生成回路であっても、実施の形態１と同様の効果を奏する。さらに、実施の形態３の信号生成回路は、ＭＣＵ１８２の外部にアナログ回路として、直交復調部２００を設けることにより、ＭＣＵ１８２でデジタル処理として直交復調を行う構成に比べて、高速に直交復調を行うことができる。そのため、高速に周波数変調された信号でも直交変復調を行うことができる。その上、実施の形態３の信号生成回路は、ＭＣＵ１８０から直交復調部２００が不要となるため、ＭＣＵ１８２におけるデジタル処理の負荷を軽減できる。
【０１１６】
なお、ここでは、ＭＣＵ１８２を用いた構成を示したが、ＭＣＵ１８２の代わりにＭＣＵ１８１を用いても良い。
【符号の説明】
【０１１７】
１００  ＶＣＯ、１０５  ＤＡＣ、１１０  １６０  １６０ａ  １６０ｂ  ２１０  ２１１  ＬＰＦ、１１５  １１６  分周器、１２０  ＬＵＴ、１３０  制御電圧設定部、１４０  １４０ａ  １４０ｂ  ２０２  ２０２ａ  ２０２ｂ  ２０４  ２０４ａ  ２０４ｂ  乗算器、１７０  １７０ａ  １７０ｂ  ＡＤＣ、１８０  １８１  １８２  ＭＣＵ、２００  ２００ａ、２００ｂ  直交復調部、１５０  ２０６  ２０６ａ  ２０６ｂ  局部発振器、  ２０８  ２０８ａ  ２０８ｂ  ９０°移相分配器、２１２  位相検出部、２１３  加算器、２１４  周波数検出部、２１６  減算器
【図１】
2016051438.tif 000024
【図２】
2016051438.tif 000025
【図３】
2016051438.tif 000026
【図４】
2016051438.tif 000027
【図５】
2016051438.tif 000028
【図６】
2016051438.tif 000029
【図７】
2016051438.tif 000030
【図８】
2016051438.tif 000031
【図９】
2016051438.tif 000032
【図１０】
2016051438.tif 000033
【手続補正書】
【提出日】平成29年1月11日(2017.1.11)
【手続補正１】
【補正対象書類名】明細書
【補正対象項目名】００１７
【補正方法】変更
【補正の内容】
【００１７】
本発明の信号生成回路は、電圧に対する出力周波数の特性を示す電圧周波数特性を用いて、制御電圧を設定する制御電圧設定部と、制御電圧により出力信号の周波数を変化させる電圧制御発振器と、電圧制御発振器の出力信号の一部を、局部発振器により生成されるローカル信号によって直交復調し、互いに直交する同相信号と直交信号を生成する直交復調部と、同相信号及び直交信号に基づいて、電圧制御発振器の出力信号の周波数を検出する周波数検出部と、を備え、制御電圧設定部は、制御電圧と電圧制御発振器の出力信号の周波数との関係から導出した電圧周波数特性を用いて、制御電圧を補正し、電圧制御発振器は、制御電圧設定部により補正された制御電圧に基づいて、チャープ信号を生成する。
【手続補正２】
【補正対象書類名】明細書
【補正対象項目名】００１８
【補正方法】変更
【補正の内容】
【００１８】
本発明の信号生成回路は、ＶＣＯの出力信号の一部を、局部発振器により生成されるローカル信号によって直交復調を行い、互いに直交する同相信号と直交信号を生成し、同相信号と直交信号に基づいてＶＣＯの出力信号の周波数を検出し、ＶＣＯのＶ−Ｆ特性を導出するように構成したので、本発明の信号生成回路は、外乱によりＶＣＯのＶ−Ｆ特性が急激に変化した場合でも、チャープ信号の誤差を補償できる。
【手続補正３】
【補正対象書類名】明細書
【補正対象項目名】００９７
【補正方法】変更
【補正の内容】
【００９７】
乗算器２０２ｂは、ｃｏｓ波（ｃｏｓ（２πｆＬＯｔ））と、ＡＤＣ１７０ｂの出力信号（Ｓｑ）とを乗算し、乗算した信号（Ｓｑｉ）を加算器２１３に出力する。Ｓｑｉは、式（１４）で表される。
【数１４】
2016051438.tif 000034
【手続補正４】
【補正対象書類名】特許請求の範囲
【補正対象項目名】全文
【補正方法】変更
【補正の内容】
【特許請求の範囲】
【請求項１】
電圧に対する出力周波数の特性を示す電圧周波数特性を用いて、制御電圧を設定する制御電圧設定部と、
前記制御電圧により出力信号の周波数を変化させる電圧制御発振器と、
前記電圧制御発振器の出力信号の一部を、局部発振器により生成されるローカル信号によって直交復調し、互いに直交する同相信号と直交信号を生成する直交復調部と、
前記同相信号及び前記直交信号に基づいて、前記電圧制御発振器の出力信号の周波数を検出する周波数検出部と、
を備え、
前記制御電圧設定部は、前記制御電圧と前記電圧制御発振器の出力信号の周波数との関係から導出した前記電圧周波数特性を用いて、前記制御電圧を補正し、
前記電圧制御発振器は、前記制御電圧設定部により補正された前記制御電圧に基づいて、チャープ信号を生成する信号生成回路。
【請求項２】
前記電圧制御発振器の出力信号を分周する分周器
を備え、
前記直交復調部は、前記分周器により分周された前記電圧制御発振器の出力信号を直交復調することを特徴とする請求項１に記載の信号生成回路。
【請求項３】
前記電圧制御発振器の出力信号を分周する分周器と、
前記分周器の出力信号の周波数を変化させる周波数変換回路と、
を備え、
前記直交復調部は、前記周波数変換回路により周波数変換された前記電圧制御発振器の出力信号を直交復調することを特徴とする請求項１に記載の信号生成回路。
【請求項４】
前記分周器は、分周された信号として、互いに直交する同相信号と直交信号とを出力することを特徴とする請求項２又は請求項３に記載の信号生成回路。
【請求項５】
前記同相信号及び前記直交信号から位相を検出する位相検出部
を備え、
前記周波数検出部は、前記位相検出部が検出した位相に基づいて、前記電圧制御発振器の出力信号の周波数を検出することを特徴とする請求項１から請求項４のいずれか１項に記載の信号生成回路。
【請求項６】
前記位相検出部は、前記直交信号を前記同相信号により除算し、逆正接を計算することより、位相を検出することを特徴とする請求項５記載の信号生成回路。
【請求項７】
前記周波数検出部は、前記位相検出部が検出した位相を時間微分して得られた周波数に基づいて、前記電圧制御発振器の出力信号の周波数を検出することを特徴とする請求項５又は請求項６に記載の信号生成回路。
【請求項８】
前記直交復調部、前記位相検出部、前記周波数検出部、及び前記制御電圧設定部はマイクロコントローラユニットで構成されたことを特徴とする請求項５から請求項７のいずれか１項に記載の信号生成回路。
【請求項９】
前記制御電圧設定部は、前記電圧制御発振器の前記電圧周波数特性を保存するルックアップテーブルを有し、前記ルックアップテーブルに基づいて、前記制御電圧を設定することを特徴とする請求項１から請求項８のいずれか１項に記載の信号生成回路。
【国際調査報告】
2016051438.tif 000035
2016051438.tif 000036
2016051438.tif 000037
2016051438.tif 000038